(57)【要約】【課題】専門的な知識を有しない水栓の使用者であっても、容易に温調ハンドルの回転方向の位置が適正な位置となるように調整することのできる湯水混合水栓を提供する。【解決手段】温調ハンドル１２に設けた温度表示部９４と、水栓本体部１４に設けた指示部１０６とによって温調ハンドル１２により設定した温度を表すようにした湯水混合水栓において、温調ハンドル１２の回転限度を規定するストッパ１０８，１１０，１１２及び指示部１０６を備えたストッパリング９８を外部に露出する状態に水栓本体部１０に脱着可能に嵌着する。またそのストッパリング９８は、雌セレーション部１０４と雄セレーション部９６との噛合位置を変更することで、水栓本体部１０に対し回転方向の組付位置を調節可能としておく。【選択図】        図３
2012241315.tif 000002
【特許請求の範囲】
【請求項１】
回転式の温調ハンドルに設けた温度表示部と、水栓本体部の該温調ハンドル側に設けた指示部とによって、該温調ハンドルの操作による吐水の設定温度を表すようにした湯水混合水栓において
前記温調ハンドルの回転限度を規定するストッパ及び前記指示部を備えたストッパリングを外部に露出する状態に前記水栓本体部に脱着可能に嵌着し、
該ストッパリングは、該水栓本体部に対して前記温調ハンドルの回転方向における組付位置を調節可能に嵌着してあることを特徴とする湯水混合水栓。
【請求項２】
請求項１において、前記ストッパリングは弾性を有するＣリング状となしてあることを特徴とする湯水混合水栓。
【請求項３】
請求項１，２の何れかにおいて、前記ストッパリングには内周面に沿って雌の噛合歯が設けてあるとともに、前記水栓本体部の外周面には対応する雄の噛合歯が設けてあり、それら一対の噛合歯を噛み合せる状態に前記ストッパリングが水栓本体部に嵌着してあることを特徴とする湯水混合水栓。
【発明の詳細な説明】
【技術分野】
【０００１】
この発明は湯水混合水栓に関し、詳しくは温調ハンドル周りの構造に特徴を有するものに関する。
【背景技術】
【０００２】
従来、水と湯とを混合し且つその混合比率を変化させて吐水の温度調節を行う湯水混合水栓が広く用いられている。
一般にこの種の湯水混合水栓では、温調ハンドル（温度調節ハンドル）が回転式のハンドルとされ、温調ハンドルの回転操作によって吐水の温度が調節される。
【０００３】
湯水混合水栓では、温調ハンドルが現在どのような操作位置にあるか、具体的には温調ハンドルの操作による現在の吐水の設定温度を表すために、通常は温調ハンドル側に温度表示部が、また水栓本体部の側に温度表示部の特定の部位を指し示す指示部が設けられる。
この場合、指示部が指し示した部位の温度が現在の設定温度を表す。
また温調ハンドルが無制限に回転操作されてしまわないように、温調ハンドルの回転限度を規定する機構が設けられる。
【０００４】
図５はそれらの具体例を示している。
図５において２００は水栓本体部，２０２は回転式の温調ハンドル、２０４は温調ハンドル２０２に設けられた温度表示部，２０６は水栓本体部２００の側に設けられた指示部である。
ここでは指示部２０６が指し示している表示４０・の温度が現在の設定温度（ここでは適温の４０℃）であることを表している。
図５(Ａ)において、２０８は水栓本体部２００の内部に埋込状態且つ固定状態に設けられ、また水栓本体部２００から突き出した部分が温調ハンドル２０２の内側に隠蔽される状態に設けられたストッパ部材で、ストッパ２１０を含む複数のストッパを備えている。
【０００５】
一方温調ハンドル２０２側には、それらストッパに当接する当り部２１２が温調ハンドル２０２と一体回転する状態に設けられている。
ここでは温調ハンドル２０２を回転操作したときに、当り部２１２がストッパ２１０その他のストッパに当ることで、温調ハンドル２０２の回転限度が規定される。
【０００６】
図５（Ａ）において、２１４は内周面と外周面とにセレーション部を有するリング状のセレーション部材で、その内周面のセレーション部に対して温調軸２１６がセレーション結合され、また外周面のセレーション部に対して温調ハンドル２０２がセレーション結合され、以ってかかるセレーション部材２１４を介して温調ハンドル２０２と温調軸２１６とが一体回転するようになっている。
ここで温調ハンドル２０２は、水栓本体部２００に対して軸方向に抜止状態に組み付けられている。
【０００７】
図５に示すものにおいては、温調ハンドル２０２を回転操作すると温調軸２１６が回転し、これにより水栓本体部２００の内部の混合弁体が位置移動して水と湯との混合比率を変化させる。即ち吐水温度を変化させる。
【０００８】
ところで湯水混合水栓を工場で生産し出荷するときには、温調ハンドル２０２側の温度表示部２０４と水栓本体部２００側の指示部２０６とにより表される設定温度が実際の吐水温度と合致するように、温調ハンドル２０２の回転方向の組付位置が調節されているが、実際に湯水混合水栓を様々な設置現場で設置施工したとき、設置現場の給水圧その他の条件の相異によって、温度表示部２０４と指示部２０６とで表される設定温度よりも実際の吐水温度が高かったり或いは低かったりする等、温調ハンドル２０２による設定温度と実際の吐水温度との間にズレが生じるといったことが起り得る。
【０００９】
この場合、水栓の使用者が温度表示部２０４と指示部２０６とに基づいて温調ハンドル２０２を回転操作し、吐水の温度設定を行っても、求める温度で吐水させることができず、水栓の使い勝手が悪化する。
また図５（Ａ）に示すストッパ部材２０８のストッパ２１０を含む複数のストッパは、温度表示部２０４と指示部２０６とで表される現在の設定温度と実際の吐水温度とが合致することを前提として、その位置が定められているため、例えば適温の湯（混合水）の温度を４０℃としたとき、これを中心としてそれよりも高温側又は低温側に予め定めた所定角度まで温調ハンドル２０２を回転させたところで、これを回転規制するようにストッパ２１０の位置、即ち回転限度の規制位置が定めてあるため、温調ハンドル２０２の表示上の調節温度（設定温度）と実際の吐水温度との間にズレが生じていると、温調ハンドル２０２の回転限度を規定するストッパ２１０の位置も不適正なものとなってしまう。
【００１０】
このような設定温度と実際の吐水温度とのズレを解消するため、従来にあっては、温調ハンドル２０２を一旦水栓本体部２００から取外して、即ち温調ハンドル２０２の取付構造を一旦ばらした上で、温調ハンドル２０２の回転方向の位置を調整して再組付けするといったことを設置現場毎に行うが、この作業は面倒な作業となる。
特に専門的な知識を有しない水栓の使用者が、こうした調整を行うといったことは実際上困難である。
【００１１】
尚本発明に関連する先行技術として、下記特許文献１にはＣリング状の弾性を有する安全リング（ロックリング）を取り外すことで、温調ハンドルを軸方向に押し込んでこれを空回転可能とし、その状態で温調ハンドルの回転方向の位置を調節した上で、温調ハンドルを再び元の位置まで軸方向に戻し、その後に安全リングを再装着するようになした点が開示されている。
この特許文献１に開示のものは、温調ハンドルの操作により設定された温度と実際の吐水温度とを一致させることを目的としている点で本願発明と共通しているが、この特許文献１に開示のものは、温調ハンドル自体の位置を変更し調節するもので、ハンドル構造が複雑になり部品点数も多くなってしまう点で本発明とは解決手段が異なっている。
【００１２】
一方特許文献２には、筒状の規制筒に切欠形状をノッチを複数個所に設けて、そのノッチの何れかに規制筒とは別体を成すストッパ駒を装着し、そしてそのストッパ駒の位置を変更することで、温調ハンドルの回転限度の規制位置を変更するようになした点が開示されている。
しかしながらこの特許文献２に開示のものは、ストッパ駒の位置を変更するために温調ハンドルを一旦取り外さなければならない点で、本発明と異なっている。
【先行技術文献】
【特許文献】
【００１３】
【特許文献１】特開２００８−１３８７３４号公報
【特許文献２】特開平１０−１３１２４９号公報
【発明の概要】
【発明が解決しようとする課題】
【００１４】
本発明は以上のような事情を背景とし、専門的な知識を有しない水栓の使用者であっても、容易に温調ハンドルの回転方向の位置が適正な位置となるように調整することのできる湯水混合水栓を提供することを目的としてなされたものである。
【課題を解決するための手段】
【００１５】
而して請求項１のものは、回転式の温調ハンドルに設けた温度表示部と、水栓本体部の該温調ハンドル側に設けた指示部とによって、該温調ハンドルの操作による吐水の設定温度を表すようにした湯水混合水栓において、前記温調ハンドルの回転限度を規定するストッパ及び前記指示部を備えたストッパリングを外部に露出する状態に前記水栓本体部に脱着可能に嵌着し、該ストッパリングは、該水栓本体部に対して前記温調ハンドルの回転方向における組付位置を調節可能に嵌着してあることを特徴とする。
【００１６】
請求項２のものは、請求項１において、前記ストッパリングは弾性を有するＣリング状となしてあることを特徴とする。
【００１７】
請求項３のものは、請求項１，２の何れかにおいて、前記ストッパリングには内周面に沿って雌の噛合歯が設けてあるとともに、前記水栓本体部の外周面には対応する雄の噛合歯が設けてあり、それら一対の噛合歯を噛み合せる状態に前記ストッパリングが水栓本体部に嵌着してあることを特徴とする。
【発明の作用・効果】
【００１８】
以上のように本発明は、温調ハンドルの回転限度を規定するストッパ及び吐水の設定温度を表すための指示部を備えたストッパリングを、外部に露出する状態に水栓本体部に脱着可能に嵌着し、そしてそのストッパリングを、水栓本体部に対して温調ハンドルの回転方向における組付位置を調節可能となしたものである。
【００１９】
本発明によれば、温調ハンドルによる設定温度と実際の吐水の温度とが合っていないとき、ストッパリングを水栓本体部から取り外した上、回転方向の位置を調節して再び水栓本体部に組み付けることで、温調ハンドルによる設定温度と実際の吐水温度とをよく一致させることができる。
即ち温調ハンドルによる温度設定を適正に行えるようになる。
【００２０】
またそのストッパリングには、温調ハンドルの回転限度を規定するストッパが備えてあるため、ストッパリングの組付位置を回転方向に調節することで、併せてそのストッパリングに備えられた、温調ハンドルの回転限度を規定するストッパの位置もまた適正な位置に位置調節することができる。即ち温調ハンドルの回転限度の規定位置を適正な位置とすることができる。
【００２１】
しかも本発明では、温調ハンドルの取外し及び再組付けなどの面倒且つ難しい作業を行わなくても、単にストッパリングを水栓本体部に対して脱着し、また回転方向の組付位置を変更するだけで良いので、専門的な知識を有しない水栓の使用者であっても、温調ハンドルによる温度設定の適正化と、温調ハンドルの回転限度を規制するストッパ位置の適正化とを簡単に行うことができる。
【００２２】
ここで上記のストッパリングは、弾性を有するＣリング状のものとなしておくことができる（請求項２）。
このようにしておけば、水栓本体部に対するストッパリングの脱着を、Ｃリング状の部材から成るストッパリングの弾性及び周方向の切欠部分を利用して簡単に行うことができる。
【００２３】
ここでストッパリングには内周面に沿って雌の噛合歯を設け、また水栓本体部の外周面には対応する雄の噛合歯を設け、それら一対の噛合歯を噛み合せる状態にストッパリングを水栓本体部に嵌着し、またその噛合歯の噛合位置を変えることでストッパリングの組付位置を調節可能となしておくことができる（請求項３）。
【００２４】
このようにすることで、ストッパリングの脱着及び回転方向の組付位置の調節をより一層簡単に行うことが可能となる。
尚本発明は、混合室に混合水温度に感応して混合弁体の位置調節を自動的に行う感温ばねを備えて成る自動温度調節機能付きの湯水混合水栓に適用して特に好適である。
【図面の簡単な説明】
【００２５】
【図１】本発明の一実施形態である湯水混合水栓の要部の断面図である。
【図２】同実施形態における温調ユニットを示す図である。
【図３】同実施形態における温調ハンドルと水栓本体部の要部の外観及びストッパリングの構成を示した図である。
【図４】同実施形態における作用説明図である。
【図５】従来の湯水混合水栓の要部を示した図である。
【発明を実施するための形態】
【００２６】
次に本発明の実施形態を図面に基づいて以下に詳しく説明する。
図１において、１０は本実施形態の湯水混合水栓における水栓本体部で、１２は回転式の温調ハンドル（温度調節ハンドル）である。
この実施形態の湯水混合水栓は自動温度調節機能付（サーモスタット式）の湯水混合水栓で、円筒形状のハウジング１４の内部に温調ユニット１６が組み込まれている。
【００２７】
図２にその温調ユニット１６の具体的構成が示してある。
図２において１８は弁ケース、２０は軸ケースで、それらが互いにねじ結合されている。
弁ケース１８には、軸方向に離隔した位置に水流入口２２と湯流入口２４とが設けられており、それら水流入口２２と湯流入口２４とから水と湯とが内部に流入するようになっている。
【００２８】
流入した水と湯とは図中右方向に流れて混合室２６に至り、そこで水と湯とが混合されて、混合水が流出口２８から吐水部に向けて図中右方向に流出する。
【００２９】
３０は水と湯とを混合する混合弁体で、軸方向に離隔した水側弁部３２と湯側弁部３４、及びそれらを軸方向に連繋する連繋部３６を有している。
一方弁ケース１８には、水側弁部３２と湯側弁部３４との間において、それら水側弁部３２，湯側弁部３４に各対応した水側弁座３８，湯側弁座４０が設けられている。
【００３０】
４２は温調軸で、軸ケース２０の内部においてその内面に回転可能に嵌合する大径の円筒部４４を有している。
この円筒部４４の内周面には雌ねじ部４６が設けられており、そこに円筒形状をなす進退部材４８の外周面の雄ねじ部５０が螺合されている。
進退部材４８は、これら雌ねじ部４６と雄ねじ部５０との螺合により温調軸４２の回転にてねじ送りで図中左右方向に進退移動する。
【００３１】
この進退部材４８の図中左端側にはストッパリング５２が掛止されている。
そしてこのストッパリング５２に対して、コイルばねから成る第１バイアスばね５４の一端（図中左端）が当接せしめられている。
【００３２】
５６は同じくコイルばねから成る第２バイアスばねで、これら第１バイアスばね５４と第２バイアスばね５６との付勢力が混合弁体３０に対して右向き、即ち水側弁部３２を閉弁させ、湯側弁部３４を開弁させる方向に及ぼされている。
【００３３】
一方混合室２６の内部には、形状記憶合金製のコイル形状の感温ばね５８が収容されており、その感温ばね５８による付勢力が混合弁体３０に対し第１バイアスばね５４，第２バイアスばね５６による付勢力とは逆方向、即ち湯側弁部３４を閉弁させ、水側弁部３２を開弁させる方向に及ぼされている。
尚６０は、混合弁体３０から図中左向きに延び出した弁軸である。
この弁軸６０は、湯側弁部３４を強制的に完全閉弁させる際に引張棒として用いられる。
【００３４】
この温調ユニット１６では、第１バイアスばね５４及び第２バイアスばね５６による図中右向きの付勢力と、感温ばね５８による図中左向きの付勢力とが釣り合う位置に混合弁体３０が保持され、水流入口２２から流入する水と湯流入口２４から流入する湯との比率を一定比率とする。
【００３５】
そして混合水温度が変化したとき、例えば混合水温度が高温側に変化したときには、感温ばね５８が付勢力を高めて、第１バイアスばね５４，第２バイアスばね５６による付勢力との釣り合い位置を図中左側にシフトさせ、混合弁体３０を図中左側に微小移動させる。これにより湯側弁部３４の開度を小，水側弁部３２の開度を大として湯流入量を少なく、水流入量を多くして混合水温度を低くし、混合水温度を設定温度に維持するように働く。
【００３６】
逆に混合水温度が設定温度よりも低くなったときには、感温ばね５８が付勢力を弱くして混合弁体３０を図中右向きに微小移動させ、これにより混合水温度を高くして設定温度に維持するように働く。
【００３７】
上記温調軸４２は、温調ハンドル１２による温度設定の操作に基づいて回転により進退部材４８を図中左右方向に進退移動させ、これにより第１バイアスばね５４，第２バイアスばね５６による付勢力を増減させて、混合弁体３０を図中左右方向に進退移動させる。
【００３８】
図１において、６２は円形のリング状をなすセレーション部材（ダブルセレーション部材）で、内周面に雌セレーション部６４を、外周面に雄セレーション部６６を有しており、そしてその内周面の雌セレーション部６４に対して、温調軸４２の雄セレーション部６８がセレーション結合され、また外周面の雄セレーション６６に対して、温調ハンドル１２の雌セレーション部７０がセレーション結合されている。
これにより、温調ハンドル１２がセレーション部材６２を介して温調軸４２に一体回転状態に連結されている。
【００３９】
温調ハンドル１２は、水栓本体部１０からの抜止めのための弾性片から成る固定片７２を一体に有している。この固定片７２の先端部（図中左端部）は押圧部７４とされている。
一方温調軸４２には、セレーション部材６２とのセレーション結合部から図中左向きに延び出した小径部７６の先端部に略球状をなす被押圧部７８が設けられている。
【００４０】
８０は、化粧キャップを兼ねた抜止部材で、脚部８２を固定片７２の外周側の溝８４に差し込むことで、固定片７２の先端部の押圧部７４を、温調軸４２の被押圧部７８に押圧し、以って温調ハンドル１２を水栓本体部１０に対して軸方向に抜止めする。
【００４１】
８６は、温調ハンドル１２に一体回転状態に保持された、温調ハンドル１２の回転規制のための当り部で、貫通孔８８から外部に突出した安全ボタン９０と一体に構成されている。
これら当り部８６及び安全ボタン９０は、板ばね９２にて径方向外方に常時付勢されている。
【００４２】
図３（Ａ）に示しているように温調ハンドル１２の外面、詳しくは水栓本体部１０に近接した位置の外面には、温度表示部９４が設けられている。
ここで温度表示部９４は、適温（ここでは４０℃）を表示する適温表示部９４Ａと、これよりも高温域を表す高温域表示部９４Ｂと、低温域を表す低温域表示部９４Ｃとを有している。
一方水栓本体部１０の温調ハンドル１２側の端部、詳しくはハウジング１４の温調ハンドル１２側の端部には、その外周面に全周に亘って雄セレーション部（噛合歯）９６が設けられている。
【００４３】
図３において、９８はこの雄セレーション部９６において水栓本体部１０に嵌着されるストッパリング（ここでは樹脂製）で、周方向の端部１００と１００との間に開口部１０２を有する、弾性を有するＣリング状をなしている。
そしてその内周面には、全周に亘って雌セレーション部（噛合歯）１０４が形成されている。
またその外周面には、温調ハンドル１２の上記の温度表示部９４と協働して、温調ハンドル１２による現在の設定温度を表すための指示部１０６が設けられている。
【００４４】
ストッパリング９８にはまた、その内周面に、周方向に間隔を隔てて第１ストッパ１０８，第２ストッパ１１０及び第３ストッパ１１２が径方向内方に突出する形態で設けられている。
ここで３つのストッパ１０８，１１０，１１２は、上記の雌セレーション部１０４とはストッパリング９８における幅方向の異なった位置に設けられている。
【００４５】
これら第１ストッパ１０８，第２ストッパ１１０，第３ストッパ１１２は、温調ハンドル１２側の上記の当り部８６を当接させることによって、温調ハンドル１２の回転限度を規定するもので、このうち第１ストッパ１０８は安全ストッパとしてのものであり、温調ハンドル１２を低温側から高温側に回転させたとき、適温表示部９４Ａがストッパリング９８の指示部１０６に一致したところで当り部８６を当接させ、温調ハンドル１２を一旦そこで回転停止させる。
第２ストッパ１１０は、高温側の最終の回転限度を規定する高温側ストッパとしてのものである。
【００４６】
温調ハンドル１２は、これを低温側から高温側に回転させ、そして適温表示部９４Ａが指示部１０６に一致したところで、当り部８６が第１ストッパ１０８に当接することで一旦そこで回転規制されるが、この状態で安全ボタン９０を押し込むと当り部８６が径方向内方に移動して第１ストッパ１０８から外れ、ここにおいて第１ストッパ１０８による温調ハンドル１２の回転規制が解除される。
【００４７】
そこで温調ハンドル１２を更に高温側に回転させると、当り部８６が次に第２ストッパ１１０に当接し、ここにおいて温調ハンドル１２の高温側への回転が最終的に規制される。
【００４８】
一方第３ストッパ１１２は低温側ストッパとしてのもので、温調ハンドル１２を低温側に大きく回転させたとき、当り部８６を当接させることによって低温側の回転限度を規定する。
ここで第２ストッパ１１０と第３ストッパ１１２とは、安全ストッパとしての第１ストッパ１０８よりも突出高さが高くされている。
【００４９】
ストッパリング９８は、その弾性を利用して開口部１０２を通じ、内周面の雌セレーション部１０４を水栓本体部１０の外周面の雄セレーション部９６に噛み合せる状態に、水栓本体部１０に対して外部に露出する状態に簡単に嵌着することができる。
また嵌着状態にあるストッパリング９８を、簡単に水栓本体部１０から取り外すことができる。
【００５０】
更にこのストッパリング９８は、雌セレーション部１０４と雄セレーション部９６との噛合いの位置を変えることによって、温調ハンドル１２における回転方向の組付位置を小刻みに変更し、調整することができる。
詳しくは、温調ハンドル１２側の温度表示部９４における適温表示部９４Ａが、ストッパリング９８の指示部１０６に合致したときに、実際の吐水の温度が丁度適温の湯となるように、ストッパリング９８の組付位置を調節することができる。
【００５１】
図４は、その際のストッパリング９８の調節の仕方を具体的に示している。
ストッパリング９８を装着した状態の下で、図４（Ｂ）に示しているように適温表示部９４Ａが指示部１０６に合致する位置まで温調ハンドル１２を持ち来し吐水を行ったとき、その吐水の温度が適温（の湯）であれば、ストッパリング９８の組付位置を特に変更し調整する必要はない。
【００５２】
しかしながらこのとき、実際の吐水の温度が適温よりも熱いときには、図４（Ａ）に示すように温調ハンドル１２を低温側に回転し、吐水の温度が適温となる位置に温調ハンドル１２を持ち来す。
そしてこのときの温調ハンドル１２側の適温表示部９４Ａに対して、指示部１０６を合せるようにしてストッパリング９８の組付位置を調整する。
図４（Ａ）はこのときの状態を表している。
【００５３】
逆に実際の吐水温度が適温よりも低い（ぬるい）ときには、図４（Ｃ）に示すように温調ハンドル１２を高温側に回転させ、そして実際の吐水温度が丁度適温となったところで温調ハンドル１２を回転停止させる。
その後ストッパリング９８の指示部１０６が温調ハンドル１２側の適温表示部９４Ａに一致するように、ストッパリング９８の回転方向の位置を調節する。
図４（Ｃ）はこのときの状態を示している。
【００５４】
このようにすれば、図４（Ａ），（Ｂ），（Ｃ）何れの状態の下においても、温度表示部９４と指示部１０６とにより表された温調ハンドル１２の設定温度と実際の吐水温度とが良く一致する状態となり、温調ハンドル１２による温度設定を適正に行えるようになる。
【００５５】
またこのとき、ストッパリング９８に備えられた第１ストッパ１０８，第２ストッパ１１０，第３ストッパ１１２も同時に適正な位置に位置調節されるため、温調ハンドル１２を回転操作したときに、本来の設定した適正な位置で温調ハンドル１２を回転規制することができる。
【００５６】
以上のように本実施形態によれば、温調ハンドル１２による設定温度と実際の吐水の温度とが合っていないとき、ストッパリング９８を水栓本体部１０から取り外した上、回転方向の位置を調節して再び水栓本体部１０に組み付けることで、温調ハンドル１２による設定温度と実際の吐水温度とをよく一致させることができる。
【００５７】
またストッパリング９８に備えられた、温調ハンドル１２の回転限度を規定する第１ストッパ１０８，第２ストッパ１１０，第３ストッパ１１２の位置も適正な位置に位置調節することができる。
【００５８】
しかも本実施形態では、温調ハンドル１２の取外し及び再組付けなどの面倒且つ難しい作業を行わなくても、単にストッパリング９８を水栓本体部１０に対して脱着し、また回転方向の組付位置を変更するだけで良いので、専門的な知識を有しない水栓の使用者であっても、温調ハンドル１２による温度設定の適正化と、温調ハンドル１２の回転限度を規制するストッパ位置の適正化とを簡単に行うことができる。
【００５９】
またストッパリング９８は、弾性を有するＣリング状のものとなしてあるため、更にストッパリング９８は、内周面の雌セレーション部１０４を水栓本体部１０の外周面の雄セレーション部９６に噛み合せることで水栓本体部１０に嵌着し、またそのセレーション部の噛合位置を変えることでストッパリング９８の組付位置を調節できるため、ストッパリング９８の脱着及び回転方向の組付位置の調節自体も簡単に行うことができる。
【００６０】
以上本発明の実施形態を詳述したがこれはあくまで一例示である。
例えば上記実施形態ではストッパリングに安全ストッパとしての第１ストッパと、高温側の上限の回転限度を規定する第２ストッパ、更に低温側の下限の第３ストッパを設けているが、場合によってストッパの数を多くしたり少なくしたりすること、またストッパの回転方向の位置を適宜の位置に変更したり設定したりすることも可能である。但し少なくとも高温側の上限の回転限度規制のための第３ストッパは備えておくことが望ましい。
【００６１】
更に上記実施形態ではストッパリングを弾性を有するＣ字状に構成しているが、これを他の様々な形状，形態で構成することも可能であり、更に回転位置の調節を雄セレーション部と雌セレーション部以外の凹凸形状の噛合歯の噛合位置の変更にて行うようになすことも可能である。
その他本発明は、自動温度調節機能を備えていないミキシングタイプの湯水混合水栓にも適用することが可能である等、本発明はその趣旨を逸脱しない範囲において種々変更を加えた形態で構成可能である。
【符号の説明】
【００６２】
１０  水栓本体部
１２  温調ハンドル
９４  温度表示部
９６  雄セレーション部（噛合歯）
９８  ストッパリング
１０４  雌セレーション部（噛合歯）
１０６  指示部
１０８  第１ストッパ
１１０  第２ストッパ
１１２  第３ストッパ
【図１】
2012241315.tif 000003
【図２】
2012241315.tif 000004
【図３】
2012241315.tif 000005
【図４】
2012241315.tif 000006
【図５】
2012241315.tif 000007